【手続補正書】
【提出日】平成19年4月16日(2007.4.16)
【手続補正１】
【補正対象書類名】特許請求の範囲
【補正対象項目名】全文
【補正方法】変更
【補正の内容】
【特許請求の範囲】
【請求項１】
物体側から順に、負の第１レンズ群、絞り、正の第２レンズ群、及び正の第３レンズ群から構成され、第１レンズ群及び第２レンズ群を光軸方向に移動させて変倍するズームレンズ系において、
第１レンズ群は、物体側から順に、第１負レンズ、第２正レンズの２枚から構成され、
第２レンズ群は、物体側から順に位置する、第３正レンズ、第４負レンズ及び第５正レンズの３枚を全て接合した接合レンズからなり、
第３レンズ群は、１枚の第６正レンズからなり、
最短焦点距離から最長焦点距離に向けての変倍時に、第１レンズ群と第２レンズ群の間隔は減少し、第２レンズ群と第３レンズ群の間隔は増大し、第３レンズ群は像面に対して固定されていることを特徴とするズームレンズ系。
【請求項２】
物体側から順に、負の第１レンズ群、絞り、正の第２レンズ群、及び正の第３レンズ群から構成され、第１レンズ群及び第２レンズ群を光軸方向に移動させて変倍するズームレンズ系において、
第１レンズ群は、物体側から順に、第１負レンズ、第２正レンズの２枚から構成され、
第２レンズ群は、物体側から順に位置する、第３正レンズ、第４負レンズ及び第５正レンズの３枚を全て接合した接合レンズからなり、
第３レンズ群は、１枚の第６正レンズからなり、
次の条件式（１）を満足することを特徴とするズームレンズ系。
（１）１．２＜ｆ2G／ｆW＜１．６
但し、
ｆ2G；第２レンズ群の焦点距離、
ｆw；短焦点距離端の全系の焦点距離。
【請求項３】
物体側から順に、負の第１レンズ群、絞り、正の第２レンズ群、及び正の第３レンズ群から構成され、第１レンズ群及び第２レンズ群を光軸方向に移動させて変倍するズームレンズ系において、
第１レンズ群は、物体側から順に、第１負レンズ、第２正レンズの２枚から構成され、
第２レンズ群は、物体側から順に位置する、第３正レンズ、第４負レンズ及び第５正レンズの３枚を全て接合した接合レンズからなり、
第３レンズ群は、１枚の第６正レンズからなり、
次の条件式（２）を満足することを特徴とするズームレンズ系。
（２）０．８＜ｆw／ｆ3＜１．２
但し、
ｆw；短焦点距離端の全系の焦点距離、
ｆ3；第２レンズ群中の第３正レンズの焦点距離。
【請求項４】
物体側から順に、負の第１レンズ群、絞り、正の第２レンズ群、及び正の第３レンズ群から構成され、第１レンズ群及び第２レンズ群を光軸方向に移動させて変倍するズームレンズ系において、
第１レンズ群は、物体側から順に、第１負レンズ、第２正レンズの２枚から構成され、
第２レンズ群は、物体側から順に位置する、第３正レンズ、第４負レンズ及び第５正レンズの３枚を全て接合した接合レンズからなり、
第３レンズ群は、１枚の第６正レンズからなり、
次の条件式（３）を満足することを特徴とするズームレンズ系。
（３）-２．０＜ｆw／ｆ4＜-１．４
但し、
ｆw；短焦点距離端の全系の焦点距離、
ｆ4；第２レンズ群中の第４負レンズの焦点距離。
【請求項５】
物体側から順に、負の第１レンズ群、絞り、正の第２レンズ群、及び正の第３レンズ群から構成され、第１レンズ群及び第２レンズ群を光軸方向に移動させて変倍するズームレンズ系において、
第１レンズ群は、物体側から順に、第１負レンズ、第２正レンズの２枚から構成され、
第２レンズ群は、物体側から順に位置する、第３正レンズ、第４負レンズ及び第５正レンズの３枚を全て接合した接合レンズからなり、
第３レンズ群は、１枚の第６正レンズからなり、
次の条件式（４）を満足することを特徴とするズームレンズ系。
（４）０．８＜ｆw／ｆ5＜１．４
但し、
ｆw；短焦点距離端の全系の焦点距離、
ｆ5；第２レンズ群中の第５正レンズの焦点距離。
【請求項６】
物体側から順に、負の第１レンズ群、絞り、正の第２レンズ群、及び正の第３レンズ群から構成され、第１レンズ群及び第２レンズ群を光軸方向に移動させて変倍するズームレンズ系において、
第１レンズ群は、物体側から順に、第１負レンズ、第２正レンズの２枚から構成され、
第２レンズ群は、物体側から順に位置する、第３正レンズ、第４負レンズ及び第５正レンズの３枚を全て接合した接合レンズからなり、
第３レンズ群は、１枚の第６正レンズからなり、
次の条件式（５）を満足することを特徴とするズームレンズ系。
（５）１．５＜｜ｆ1G｜／ｆw＜２．５
但し、
ｆ1G；第１レンズ群の焦点距離、
ｆw；短焦点距離端の全系の焦点距離。
【請求項７】
物体側から順に、負の第１レンズ群、絞り、正の第２レンズ群、及び正の第３レンズ群から構成され、第１レンズ群及び第２レンズ群を光軸方向に移動させて変倍するズームレンズ系において、
第１レンズ群は、物体側から順に、第１負レンズ、第２正レンズの２枚から構成され、
第２レンズ群は、物体側から順に位置する、第３正レンズ、第４負レンズ及び第５正レンズの３枚を全て接合した接合レンズからなり、
第３レンズ群は、１枚の第６正レンズからなり、
次の条件式（６）を満足することを特徴とするズームレンズ系。
（６）０．２＜ｆ2G／ｆ6＜０．５
但し、
ｆ2G；第２レンズ群の焦点距離、
ｆ6；第６正レンズの焦点距離。
【請求項８】
物体側から順に、負の第１レンズ群、絞り、正の第２レンズ群、及び正の第３レンズ群から構成され、第１レンズ群及び第２レンズ群を光軸方向に移動させて変倍するズームレンズ系において、
第１レンズ群は、物体側から順に、第１負レンズ、第２正レンズの２枚から構成され、
第２レンズ群は、物体側から順に位置する、第３正レンズ、第４負レンズ及び第５正レンズの３枚を全て接合した接合レンズからなり、
第３レンズ群は、１枚の第６正レンズからなり、
次の条件式（１２）を満足することを特徴とするズームレンズ系。
（１２）０＜ｒc1
但し、
ｒc1；第２レンズ群中の第３正レンズと第４負レンズの接合面の曲率半径。
【請求項９】
物体側から順に、負の第１レンズ群、絞り、正の第２レンズ群、及び正の第３レンズ群から構成され、第１レンズ群及び第２レンズ群を光軸方向に移動させて変倍するズームレンズ系において、
第１レンズ群は、物体側から順に、第１負レンズ、第２正レンズの２枚から構成され、
第２レンズ群は、物体側から順に位置する、第３正レンズ、第４負レンズ及び第５正レンズの３枚を全て接合した接合レンズからなり、
第３レンズ群は、１枚の第６正レンズからなり、
フォーカシングは、第１レンズ群の単独移動、第２レンズ群の単独移動または第１レンズ群と第２レンズ群の一体移動で行うことを特徴とするズームレンズ系。
【手続補正２】
【補正対象書類名】明細書
【補正対象項目名】０００５
【補正方法】変更
【補正の内容】
【０００５】
本発明のズームレンズ系は、物体側から順に、負の第１レンズ群、絞り、正の第２レンズ群、及び正の第３レンズ群から構成され、第１レンズ群及び第２レンズ群を光軸方向に移動させて変倍するズームレンズ系において、
第１レンズ群は、物体側から順に、第１負レンズ、第２正レンズの２枚から構成され、第２レンズ群は、物体側から順に位置する、第３正レンズ、第４負レンズ及び第５正レンズの３枚を全て接合した接合レンズからなり、第３レンズ群は、１枚の第６正レンズからなり、最短焦点距離から最長焦点距離に向けての変倍時に、第１レンズ群と第２レンズ群の間隔は減少し、第２レンズ群と第３レンズ群の間隔は増大し、第３レンズ群は像面に対して固定されていることを特徴としている。
【手続補正３】
【補正対象書類名】明細書
【補正対象項目名】０００６
【補正方法】変更
【補正の内容】
【０００６】
本発明のズームレンズ系はまた、物体側から順に、負の第１レンズ群、絞り、正の第２レンズ群、及び正の第３レンズ群から構成され、第１レンズ群及び第２レンズ群を光軸方向に移動させて変倍するズームレンズ系において、第１レンズ群は、物体側から順に、第１負レンズ、第２正レンズの２枚から構成され、第２レンズ群は、物体側から順に位置する、第３正レンズ、第４負レンズ及び第５正レンズの３枚を全て接合した接合レンズからなり、第３レンズ群は、１枚の第６正レンズからなり、次の条件式（１）を満足することを特徴としている。
（１）１．２＜ｆ2G／ｆw＜１．６
但し、
ｆ2G；第２レンズ群の焦点距離、
ｆw；短焦点距離端の全系の焦点距離、
である。
【手続補正４】
【補正対象書類名】明細書
【補正対象項目名】０００７
【補正方法】変更
【補正の内容】
【０００７】
本発明のズームレンズ系はまた、物体側から順に、負の第１レンズ群、絞り、正の第２レンズ群、及び正の第３レンズ群から構成され、第１レンズ群及び第２レンズ群を光軸方向に移動させて変倍するズームレンズ系において、第１レンズ群は、物体側から順に、第１負レンズ、第２正レンズの２枚から構成され、第２レンズ群は、物体側から順に位置する、第３正レンズ、第４負レンズ及び第５正レンズの３枚を全て接合した接合レンズからなり、第３レンズ群は、１枚の第６正レンズからなり、次の条件式（２）を満足することを特徴としている。
（２）０．８＜ｆw／ｆ3＜１．２
但し、
ｆw；短焦点距離端の全系の焦点距離、
ｆ3；第２レンズ群中の第３正レンズの焦点距離、
である。
【手続補正５】
【補正対象書類名】明細書
【補正対象項目名】０００８
【補正方法】変更
【補正の内容】
【０００８】
本発明のズームレンズ系はまた、物体側から順に、負の第１レンズ群、絞り、正の第２レンズ群、及び正の第３レンズ群から構成され、第１レンズ群及び第２レンズ群を光軸方向に移動させて変倍するズームレンズ系において、第１レンズ群は、物体側から順に、第１負レンズ、第２正レンズの２枚から構成され、第２レンズ群は、物体側から順に位置する、第３正レンズ、第４負レンズ及び第５正レンズの３枚を全て接合した接合レンズからなり、第３レンズ群は、１枚の第６正レンズからなり、次の条件式（３）を満足することを特徴としている。
（３）-２．０＜ｆw／ｆ4＜-１．４
但し、
ｆw；短焦点距離端の全系の焦点距離、
ｆ4；第２レンズ群中の第４負レンズの焦点距離、
である。
【手続補正６】
【補正対象書類名】明細書
【補正対象項目名】０００９
【補正方法】変更
【補正の内容】
【０００９】
本発明のズームレンズ系はまた、物体側から順に、負の第１レンズ群、絞り、正の第２レンズ群、及び正の第３レンズ群から構成され、第１レンズ群及び第２レンズ群を光軸方向に移動させて変倍するズームレンズ系において、第１レンズ群は、物体側から順に、第１負レンズ、第２正レンズの２枚から構成され、第２レンズ群は、物体側から順に位置する、第３正レンズ、第４負レンズ及び第５正レンズの３枚を全て接合した接合レンズからなり、第３レンズ群は、１枚の第６正レンズからなり、次の条件式（４）を満足することを特徴としている。
（４）０．８＜ｆw／ｆ5＜１．４
但し、
ｆw；短焦点距離端の全系の焦点距離、
ｆ5；第２レンズ群中の第５正レンズの焦点距離、
である。
【手続補正７】
【補正対象書類名】明細書
【補正対象項目名】００１０
【補正方法】変更
【補正の内容】
【００１０】
本発明のズームレンズ系はまた、物体側から順に、負の第１レンズ群、絞り、正の第２レンズ群、及び正の第３レンズ群から構成され、第１レンズ群及び第２レンズ群を光軸方向に移動させて変倍するズームレンズ系において、第１レンズ群は、物体側から順に、第１負レンズ、第２正レンズの２枚から構成され、第２レンズ群は、物体側から順に位置する、第３正レンズ、第４負レンズ及び第５正レンズの３枚を全て接合した接合レンズからなり、第３レンズ群は、１枚の第６正レンズからなり、次の条件式（５）を満足することを特徴としている。
（５）１．５＜｜ｆ1G｜／ｆw＜２．５
但し、
ｆ1G；第１レンズ群の焦点距離、
ｆw；短焦点距離端の全系の焦点距離、
である。
【手続補正８】
【補正対象書類名】明細書
【補正対象項目名】００１１
【補正方法】変更
【補正の内容】
【００１１】
本発明のズームレンズ系はまた、物体側から順に、負の第１レンズ群、絞り、正の第２レンズ群、及び正の第３レンズ群から構成され、第１レンズ群及び第２レンズ群を光軸方向に移動させて変倍するズームレンズ系において、第１レンズ群は、物体側から順に、第１負レンズ、第２正レンズの２枚から構成され、第２レンズ群は、物体側から順に位置する、第３正レンズ、第４負レンズ及び第５正レンズの３枚を全て接合した接合レンズからなり、第３レンズ群は、１枚の第６正レンズからなり、次の条件式（６）を満足することを特徴としている。
（６）０．２＜ｆ2G／ｆ6＜０．５
但し、
ｆ2G；第２レンズ群の焦点距離、
ｆ6；第６正レンズの焦点距離、
である。
【手続補正９】
【補正対象書類名】明細書
【補正対象項目名】００１２
【補正方法】削除
【補正の内容】
【手続補正１０】
【補正対象書類名】明細書
【補正対象項目名】００１８
【補正方法】変更
【補正の内容】
【００１８】
本発明のズームレンズ系はまた、物体側から順に、負の第１レンズ群、絞り、正の第２レンズ群、及び正の第３レンズ群から構成され、第１レンズ群及び第２レンズ群を光軸方向に移動させて変倍するズームレンズ系において、第１レンズ群は、物体側から順に、第１負レンズ、第２正レンズの２枚から構成され、第２レンズ群は、物体側から順に位置する、第３正レンズ、第４負レンズ及び第５正レンズの３枚を全て接合した接合レンズからなり、第３レンズ群は、１枚の第６正レンズからなり、次の条件式（１２）を満足することを特徴としている。
（１２）０＜ｒc1
但し、
ｒc1；第２レンズ群中の第３正レンズと第４負レンズの接合面の曲率半径、
である。
【手続補正１１】
【補正対象書類名】明細書
【補正対象項目名】００２０
【補正方法】変更
【補正の内容】
【００２０】
本発明のズームレンズ系はまた、物体側から順に、負の第１レンズ群、絞り、正の第２レンズ群、及び正の第３レンズ群から構成され、第１レンズ群及び第２レンズ群を光軸方向に移動させて変倍するズームレンズ系において、第１レンズ群は、物体側から順に、第１負レンズ、第２正レンズの２枚から構成され、第２レンズ群は、物体側から順に位置する、第３正レンズ、第４負レンズ及び第５正レンズの３枚を全て接合した接合レンズからなり、第３レンズ群は、１枚の第６正レンズからなり、フォーカシングは、第１レンズ群の単独移動、第２レンズ群の単独移動または第１レンズ群と第２レンズ群の一体移動で行うことを特徴としている。
【手続補正１２】
【補正対象書類名】図面
【補正対象項目名】図１３
【補正方法】変更
【補正の内容】
【図１３】
2006276445.tif 000001